(57)【要約】【課題】装置本体の上部に設けられた回動可能な回動体の開姿勢をアーム（支持部材）で維持する構成を備えた記録装置において、装置外観を構成する筐体の変形を防止する。【解決手段】インクジェットプリンター１は、用紙に記録を行う記録部２の上部にスキャナ部３を開閉可能に備えている。スキャナ部３は、アーム１７によって開姿勢が維持される。アーム１７を支持する支持部１８ｅは、装置本体のベースを構成するベースフレーム１８に設けられ、その上で支持部１８ｅがハウジング左１５に形成された開口部１５ｂから露呈し、これによりアーム１７がベースフレーム１８によって直接支持される。【選択図】図５
2013146993.tif 000002
【特許請求の範囲】
【請求項１】
媒体に記録を行う記録手段を備える装置本体と、
前記装置本体の上部において回動可能に設けられ、回動することにより開閉可能な回動体と、
一端側が前記回動体に回動可能に支持され、他端側が前記装置本体の支持部に支持されることにより前記回動体の開姿勢を維持するアームと、を備え、
前記装置本体は、前記装置本体のベースを構成するベースフレームと、
前記ベースフレームを覆い、前記装置本体の外観を構成するハウジング部材と、を備え、
前記支持部が、前記ベースフレームに設けられるとともに、前記ハウジング部材に形成された開口部から前記支持部が露呈する構成を備える、
ことを特徴とする記録装置。
【請求項２】
請求項１に記載の記録装置において、前記支持部は、前記ベースフレームを構成する、鉛直方向に沿って立設された壁によって支持される、
ことを特徴とする記録装置。
【請求項３】
請求項２に記載の記録装置において、前記ベースフレームには、前記壁を構成する第１の壁と、前記壁を構成する第２の壁と、のこれらが所定の間隔を開けて対向配置され、
前記支持部が、前記第１の壁と第２の壁との間に掛け渡された接続部に設けられている、
ことを特徴とする記録装置。
【請求項４】
請求項３に記載の記録装置において、前記第１の壁及び前記第２の壁と交差する面を成す、鉛直方向に沿って立設された第３の壁が、前記第１の壁及び前記第２の壁と接続されている、
ことを特徴とする記録装置。
【発明の詳細な説明】
【技術分野】
【０００１】
本発明は、ファクシミリやプリンターに代表される記録装置に関し、特に装置本体の上部において回動可能に設けられ、回動することにより開閉可能な回動体を備える記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録装置の本体上部に、スキャナユニットが設けられている。
【０００３】
スキャナユニットは、記録装置本体に対して回動可能に設けられ、回動することにより、開姿勢と閉姿勢とを切り換え可能となっている。スキャナユニットは、通常使用時には閉姿勢で保持されるが、例えば記録装置本体内部で紙ジャムが生じた場合のジャム処理の際や、インクカートリッジ交換の際に、スキャナユニットが開かれる様になっている。
【０００４】
従ってスキャナユニットは、開姿勢を維持できる様に設けられており、開姿勢を維持する為の手段として、特許文献１に示される様な支持部材（アーム）が採用される場合もある。
【先行技術文献】
【特許文献】
【０００５】
【特許文献１】特開２００９−２３９７５２号公報
【発明の概要】
【発明が解決しようとする課題】
【０００６】
上記特許文献１に示される記録装置は、上記支持部材を、装置外観を構成する筐体（ハウジング部材）の上面で支持する構成であった（特許文献１では、「制止部１１９」が「下筐体１１１」に形成されている）。
【０００７】
即ち、強度的に弱い「筐体の上面」でスキャナユニットを支持する構成であったことから、スキャナユニットの自重によって筐体上面を構成する壁（以下「上壁」と言う）が変形し、またスキャナユニットにユーザーが手を載せたときには、より一層筐体が変形する虞があった。
【０００８】
そして筐体上壁が変形すると、スキャナの姿勢が安定しない。また、筐体上壁がその下側にあるキャリッジ走行領域に干渉し、キャリッジが筐体上壁と接触してしまう虞もある。この様な不具合を防止する為には、キャリッジ走行領域と筐体上壁との間のクリアランスを大きめに確保することも考えられるが、その場合装置の小型化の要請に反することとなる。
【０００９】
また、筐体上壁の変形を防止する変形防止手段（例えば、支柱など）を別途設けることも考え得るが、組立工程の増加に伴うコストアップを招くし、或いは筐体上壁を、スキャナユニットを支持する部位とキャリッジ走行領域を覆う部位とで分割することも考え得るが、その場合装置の美観を損ねることになる。更に、筐体それ自体の剛性を高める為に、リブなどの補強構造を設けるとヒケなどの成形不良が生じ易く、外観上好ましくない。
【００１０】
そこで本発明はこの様な状況に鑑みなされたものであり、その目的は、装置本体の上部に設けられた回動可能な回動体の開姿勢をアーム（支持部材）で維持する構成を備えた記録装置において、装置外観を構成する筐体の変形を適切に防止することにある。
【課題を解決するための手段】
【００１１】
上記課題を解決する為の、本発明の第１の態様に係る記録装置は、媒体に記録を行う記録手段を備える装置本体と、前記装置本体の上部において回動可能に設けられ、回動することにより開閉可能な回動体と、一端側が前記回動体に回動可能に支持され、他端側が前記装置本体の支持部に支持されることにより前記回動体の開姿勢を維持するアームと、を備え、前記装置本体は、前記装置本体のベースを構成するベースフレームと、前記ベースフレームを覆い、前記装置本体の外観を構成するハウジング部材と、を備え、前記支持部が、前記ベースフレームに設けられるとともに、前記ハウジング部材に形成された開口部から前記支持部が露呈する構成を備えることを特徴とする。
【００１２】
本態様によれば、回動体の開姿勢を維持するアームを支持する支持部は、装置本体の外観を構成するハウジング部材ではなく、装置本体のベースを構成するベースフレームに設けられている。その上で、支持部がハウジング部材に形成された開口から露呈し、これによりアームがベースフレームによって直接支持されることとなる為、装置外観を構成するハウジング部材の変形を適切に防止できる。
【００１３】
本発明の第２の態様は、第１の態様において、前記支持部は、前記ベースフレームを構成する、鉛直方向に沿って立設された壁によって支持されることを特徴とする。  
本態様によれば、前記支持部は、前記ベースフレームを構成する、鉛直方向に沿って立設された壁によって支持されるので、前記回動体を（前記アームを介して）より確実に支持することができる。
【００１４】
本発明の第３の態様は、第２の態様において、前記ベースフレームには、前記壁を構成する第１の壁と、前記壁を構成する第２の壁と、のこれらが所定の間隔を開けて対向配置され、前記支持部が、前記第１の壁と第２の壁との間に掛け渡された接続部に設けられていることを特徴とする。
【００１５】
本態様によれば、前記支持部が、鉛直方向に沿って立設された第１の壁と第２の壁との間に掛け渡された接続部に設けられているので、前記回動体から受ける荷重を前記第１の壁と前記第２の壁とで受けることで、前記回動体を（前記アームを介して）より確実に支持することができる。
【００１６】
本発明の第４の態様は、第３の態様において、前記第１の壁及び前記第２の壁と交差する面を成す、鉛直方向に沿って立設された第３の壁が、前記第１の壁及び前記第２の壁と接続されていることを特徴とする。
【００１７】
本態様によれば、前記第１の壁及び前記第２の壁と交差する面を成す、鉛直方向に沿って立設された第３の壁が、前記第１の壁及び前記第２の壁と接続されているので、前記第１の壁と前記第２の壁の剛性が、前記第３の壁によって向上し、これにより前記回動体をより一層確実に支持することができる。
【図面の簡単な説明】
【００１８】
【図１】本発明に係るインクジェットプリンターの外観斜視図（スキャナ部クローズ状態）。
【図２】本発明に係るインクジェットプリンターの外観斜視図（スキャナ部オープン状態）。
【図３】アームが入り込む開口部の斜視図。
【図４】本発明に係るインクジェットプリンターの横断面図（スキャナ部オープン状態）。
【図５】インクジェットプリンター本体のベースを構成するベースフレームの斜視図。
【図６】インクジェットプリンター本体の左外観を構成するハウジング左の斜視図。
【図７】インクジェットプリンター本体（ハウジング左を外した状態）の斜視図。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１は、本発明に係る記録装置の一例としてのインクジェットプリンター１の外観斜視図（スキャナ部３クローズ状態）、図２は同外観斜視図（スキャナ部３オープン状態）、図３はアーム１７が入り込む開口部１５ａの斜視図、図４はインクジェットプリンター１本体の横断面図、図５はインクジェットプリンター１本体のベースを構成するベースフレーム１８の斜視図、図６はインクジェットプリンター１本体の左外観を構成するハウジング左１５の斜視図、図７はインクジェットプリンター１本体（ハウジング左１５を外した状態）の斜視図である。尚、図４は断面図であるが、図の煩雑化を避けるため断面へのハッチングは省略している。
【００２１】
図１及び図２において、インクジェットプリンター１は、媒体の一例としての記録用紙にインクジェット記録を行う記録部２の上部に「回動体」としてのスキャナ部３を備えており、即ちインクジェット記録機能に加えてスキャナ機能を備える複合機として構成されている。
【００２２】
記録部２は、インクジェットプリンター１の装置本体を構成し、スキャナ部３は、記録部２に対して回動可能に設けられており、回動することにより、閉じた状態（図１）と開いた状態（図２）とをとり得る。そしてスキャナ部３が開くことにより、キャリッジ１１に搭載されたインクカートリッジ（不図示）の交換作業や、紙ジャムが生じた際のジャム処理作業などが行える様になっている。尚、スキャナ部３が開いた状態を維持する為のアーム（支柱、或いは衝立、或いは支持部材とも言う）１７が設けられているが、これについては後に説明する。
【００２３】
スキャナ部３において上部のカバー４は開閉可能なカバーであり、当該カバー４を開放することにより、スキャナ部３の図示しない原稿台が表れる様になっている。  
【００２４】
装置前面において符号６は記録が行われて排出された用紙を受ける排紙受けトレイである。排紙受けトレイ６は引き出し式に構成され、図１及び図２は収納された状態を示している。
【００２５】
符号９は、電源ボタンや各種印刷設定・記録実行を行う操作ボタン、印刷設定内容や印刷画像のプレビュー表示などを行う表示部、等を備えて成る操作部であり、符号８は当該操作部を備えるパネルユニットである。このパネルユニット８は、スキャナ部３に設けられており、スキャナ部３の回動に従ってスキャナ部３と一体に変位する様になっている。
【００２６】
図２において符号１１はキャリッジであり、このキャリッジ１１の底部に記録ヘッド１２が設けられている。キャリッジ１１が用紙幅方向に移動する過程において記録ヘッド１２からインクが吐出されることにより、用紙に記録が実行される。尚、用紙搬送経路において記録ヘッド１２の上流側には、用紙を搬送する搬送手段（不図示）が設けられ、またこの搬送手段の上流側には、用紙を搬送手段へと給送する給送手段（不図示）が設けられている。
【００２７】
続いて、スキャナ部３が開いた状態を維持する為のアーム１７について説明する。アーム１７は、その一端側（上側）が、スキャナ部３に対してアーム取付部１４を介して回動可能に支持されている（図２、図４において符号１７ａは、アーム１７の回動軸を示している）。そしてスキャナ部３が開いた状態において、アーム１７の他端側（下側）が、記録部２に設けられた支持部１８ｅに支持されることにより、スキャナ部３の開いた状態が維持される様になっている。
【００２８】
アーム１７は、図示しない付勢手段によって装置手前側（図４において左側）に回動する方向に（図４において時計回り方向）付勢された状態となっている。アーム１７において支持部１８ｅによって支持される被支持部１７ｂは、アーム１７において装置手前側に形成されており、上記付勢手段の付勢力により、被支持部１７ｂと支持部１８ｅとがより確実に係合できる様になっている。
【００２９】
ここで、インクジェットプリンター１の筐体構成について説明する。インクジェットプリンター１の装置本体を構成する記録部２は、ベースフレーム１８をベースとし、このベースフレーム１８に対して各種構成要素が組み付けられ、装置本体が構成される。尚、本実施形態に係るベースフレーム１８は、全体が樹脂材料により一体的に形成されている。
【００３０】
ベースフレーム１８には、両側からハウジング左１５、ハウジング右１６、のこれらがベースフレーム１８を覆う様にして取り付けられ、更にスキャナ部３が回動可能に取り付けられて、インクジェットプリンター１全体の外観が構成される。尚、図５において符号１８ｇは、スキャナ部３の回動軸を示している。
【００３１】
そして図３、図４、図６に示す様に、ハウジング左１５には開口部１５ａ、１５ｂが形成されており、このうちの開口部１５ｂから、ベースフレーム１８に形成された支持部１８ｅが露呈する様になっている。
【００３２】
より詳しくは、ベースフレーム１８には図５に示す様に「第１の壁」としての壁１８ａと、「第２の壁」としての壁１８ｂと、「第３の壁」としての壁１８ｃが形成されている。壁１８ａ、１８ｂ、１８ｃ、のこれらは鉛直方向に沿って立設されており、壁１８ａと壁１８ｂは、所定の間隔を開けて対向配置され、壁１８ｃは、壁１８ａ及び壁１８ｂと直交する様に立設されるとともに壁１８ａ及び壁１８ｂと接続されている。
【００３３】
尚、壁１８ｂは、壁１８ｈが装置前方側に延長される様にして形成されている。壁１８ｈは、図７に示す様に歯車輪列２０を取り付ける為のものであり、符号１８ｆは歯車輪列２０を構成する一の歯車の軸を示している。歯車輪列２０は、インクジェットプリンター１において用紙を搬送する各種ローラーを駆動する駆動系を構成するものである。
【００３４】
壁１８ａと壁１８ｂとの間には、接続部１８ｄが掛け渡されており、アーム１７を支持する支持部１８ｅは、この接続部１８ｄに形成されている。即ち支持部１８ｅは、接続部１８ｄを介し、壁１８ａと壁１８ｂとによって支持される状態となっている。
【００３５】
そしてこの様に形成された支持部１８ｅは、ベースフレーム１８に対しハウジング左１５が組み付けられた際、ハウジング左１５に形成された開口部１８ｂから上部（外側）に露呈する。
【００３６】
尚、ハウジング左１５において開口部１５ａは、アーム１７が内側に入り込む為の開口部である。即ち、アーム１７は、スキャナ部３の開閉状態に拘わらず下側先端部が開口部１５ａの内側に形成された収容室Ａ（図４）に入り込む様になっており、そしてスキャナ部３が閉じられた状態では、アーム１７の全体が収容室Ａに傾斜姿勢で収容される様になっている（図４の仮想線及び符号１７’）。従ってアーム１７が長い場合であっても、適切にこれを収容することができる。
【００３７】
以上の様に、回動体としてのスキャナ部３の開姿勢を維持するアーム１７を支持する支持部１８ｅは、装置本体の外観を構成するハウジング部材であるハウジング左１５ではなく、装置本体のベースを構成するベースフレーム１８に設けられている。その上で、支持部１８ｅがハウジング左１５に形成された開口部１５ｂから露呈し、これによりアーム１７がベースフレーム１８によって直接支持される構成である為、スキャナ部３を支持するに際してハウジング左１５の変形を適切に防止できる。
【００３８】
その結果、本実施形態に係るインクジェットプリンター１においては、ハウジング左１５の上面が変形してキャリッジ１１の走行領域に干渉することがなくなり、またその様な不具合を防止する為にハウジング左１５の高さ寸法を大きくする必要がなく、或いはハウジング左１５の上面の変形防止手段を別途設ける必要がなく、装置の大型化とコストアップを防止できる。また、ハウジング左１５それ自体の剛性を高める為に、ハウジングの内側壁面にリブなどを形成する必要もなく、ヒケなどの成形不良を防止して美観を確保することができる。
【００３９】
また、支持部１８ｅは、ベースフレーム１８を構成する、鉛直方向に沿って立設された壁１８ａ、１８ｂによって支持されるので、スキャナ部３をアーム１７を介して支持するに際して支持方向の剛性が高くなり、スキャナ部３を確実に支持することができる。
【００４０】
また、本実施形態では支持部１８ｅが、壁１８ａと壁１８ｂとの間に掛け渡された接続部１８ｄに設けられ、即ち２つの壁によって支持されているので、スキャナ部３を、より一層確実に支持することができる。
【００４１】
更に本実施形態では、壁１８ａ、壁１８ｂと交差する（本実施形態では直交する）面を成す、鉛直方向に沿って立設された壁１８ｃが、壁１８ａ、壁１８ｂと接続されているので、壁１８ａ、壁１８ｂの剛性が、壁１８ｃによって向上し、これによりスキャナ部３をより一層確実に支持することができる。
【００４２】
尚、本実施形態では、スキャナ部３が閉じた状態において当該スキャナ部３の本体が、ハウジング左５の上面（図３において符号１５ｃで示す部分：以下「支持部」と言う）で支持される。この支持部１５ｃは、ベースフレーム１８に形成された壁１８ａの直上に位置しており、壁１８ａの上端部によって支持されている。従ってスキャナ部３が閉じた状態においても、当該スキャナ部３は、ベースフレーム１８によって確実に支持され、ハウジング左１５上壁の変形が生じることを防止できる。尚、これはハウジング右１６においても同様であり、ハウジング右１６上壁がベースフレーム１８の壁１８ｋ（図５）によって支持され、これによりスキャナ部３が確実に支持される。
【００４３】
また本実施形態では、スキャナ部３は、ベースフレーム１８に形成された回動軸１８ｇ（図５では片側のみ図示）によって回動可能に軸支されると同時に、ベースフレーム１８の支持部１８ｅによって支持される構成である。即ち、スキャナ部３は複数の部材によって支持されるのではなく、一つの、強度的に高いベースフレーム１８によって支持されるので、開姿勢や閉姿勢が精密に規定され、且つ双方の姿勢において確実に支持される。
【００４４】
以上説明した各実施形態は一例であり、本発明がこれら各実施形態に限られないことは言うまでもない。特に、記録装置本体の上部に設けられる「回動体」としては、本実施形態で示したスキャナ部３に限られず、カバーや、原稿を搬送する自動原稿搬送装置など、種々のものを適用することができる。
【００４５】
更に、上記各実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００４６】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００４７】
１  インクジェットプリンター、２  記録部、３  スキャナ部、４  カバー、５  排紙口、６  排紙受けトレイ、８  パネルユニット、９  操作部、１１  キャリッジ、１２  記録ヘッド、１４  アーム取付部、１５  ハウジング左、１５ａ  開口部、１５ｂ  開口部、１６  ハウジング右、１７  アーム、１７ａ  回動軸、１７ｂ  被支持部、１７ｃ  被案内部、１７ｄ  接触面、１７ｅ  腕部、１７ｆ  被押圧部、１８  ベースフレーム、１８ａ  壁、１８ｂ  壁、１８ｃ  壁、１８ｄ  接続部、１８ｅ  支持部、１８ｆ  軸、１８ｇ  軸、１８ｈ  壁、２０  歯車輪列、Ａ  収容室
【図１】
2013146993.tif 000003
【図２】
2013146993.tif 000004
【図３】
2013146993.tif 000005
【図４】
2013146993.tif 000006
【図５】
2013146993.tif 000007
【図６】
2013146993.tif 000008
【図７】
2013146993.tif 000009